(57)【特許請求の範囲】
【請求項１】
吹き出し部を有する筐体と、
前記筐体内に設けられ、複数のファン要素を連結して構成した貫流ファンと、
前記貫流ファンの軸方向に沿って設けられた舌部と、を有する室内機を備え、
前記舌部は、前記貫流ファンの前記軸方向における両端部に対向する一対の端部対向部と、前記一対の端部対向部の間に位置し前記貫流ファンに対向する第１対向面を有する主要部と、を有し、
各端部対向部は、前記貫流ファンの前記軸方向における各端部に対向する第２対向面を有し、前記第２対向面は、第１対向面よりも前記貫流ファン側に位置し、
各端部対向部の前記第２対向面の前記軸方向の長さは、前記複数のファン要素のうち、前記軸方向の両端部に位置するファン要素の前記軸方向の長さよりも長く構成され、
前記舌部は、各端部対向部と前記主要部との間に位置する一対の接続部を備え、
各接続部は、前記貫流ファンに対向し前記第１対向面と前記第２対向面に接続される第３対向面を有し、
各第３対向面は、前記第１対向面から各第２対向面に向かうにつれて前記貫流ファンに近づくように構成された空気調和機。
【請求項２】
吹き出し部を有する筐体と、
前記筐体内に設けられ、複数のファン要素を連結して構成した貫流ファンと、
前記貫流ファンの軸方向に沿って設けられた舌部と、を有する室内機を備え、
前記舌部は、前記貫流ファンの前記軸方向における両端部に対向する一対の端部対向部と、前記一対の端部対向部の間に位置し前記貫流ファンに対向する第１対向面を有する主要部と、を有し、
各端部対向部は、前記貫流ファンの前記軸方向における各端部に対向する第２対向面を有し、前記第２対向面は、第１対向面よりも前記貫流ファン側に位置し、
各端部対向部の前記第２対向面の前記軸方向の長さは、前記複数のファン要素のうち、前記軸方向の両端部に位置するファン要素の前記軸方向の長さよりも長く構成され、
前記舌部は、各端部対向部と前記主要部との間に位置する一対の接続部を備え、
各接続部は、前記貫流ファンに対向する第４対向面を有し、
各第４対向面は、前記貫流ファンの径方向において、前記第１対向面と前記第２対向面との間に位置し、前記第１対向面と各第４対向面とにより段差が形成され、各第２対向面と各第４対向面とにより段差が形成されている空気調和機。
【請求項３】
前記舌部は、前記貫流ファンに吸込まれる空気を吸込領域と吹出領域とに分離し、
前記第２対向面は、前記吸込領域側に位置し前記貫流ファンとの距離が最小となる第１端部と、前記吹出領域側に位置する第２端部とを有し、
前記第２対向面は、前記第１端部と前記第２端部との間が凹曲面状をなすように構成されている請求項１または請求項２に記載の空気調和機。
【請求項４】
前記舌部の各端部対向部には、複数の切込みが形成されている請求項１から請求項３のいずれか一項に記載の空気調和機。
【請求項５】
吹き出し部を有する筐体と、
前記筐体内に設けられるモータと、
前記筐体内に設けられ、前記モータにより駆動され、複数のファン要素を連結して構成した貫流ファンと、
前記吹き出し部の近傍に前記貫流ファンの軸方向に沿って設けられた舌部と、を有する室内機を備え、
前記貫流ファンの前記軸方向の一端に位置する前記ファン要素は、その内部に前記モータの回転駆動力を受けるボスを有し、
前記舌部は、前記ボスを有する前記ファン要素に対向する端部対向部と、前記ボスを有する前記ファン要素以外の残りのファン要素に対向する第１対向面を有する主要部とを有し、
前記端部対向部は、前記ボスを有する前記ファン要素に対向する第２対向面を有し、前記第２対向面は、第１対向面よりも前記貫流ファン側に位置し、
前記端部対向部の前記第２対向面の前記軸方向の長さは、前記複数のファン要素のうち、前記ボスを有する前記ファン要素の前記軸方向の長さよりも長く構成され、
前記舌部は、前記端部対向部と前記主要部との間に位置する接続部を備え、
前記接続部は、前記貫流ファンに対向し前記第１対向面と前記第２対向面に接続される第３対向面を有し、
前記第３対向面は、前記第１対向面から前記第２対向面に向かうにつれて前記貫流ファンに近づくように構成された空気調和機。
【請求項６】
吹き出し部を有する筐体と、
前記筐体内に設けられるモータと、
前記筐体内に設けられ、前記モータにより駆動され、複数のファン要素を連結して構成した貫流ファンと、
前記吹き出し部の近傍に前記貫流ファンの軸方向に沿って設けられた舌部と、を有する室内機を備え、
前記貫流ファンの前記軸方向の一端に位置する前記ファン要素は、その内部に前記モータの回転駆動力を受けるボスを有し、
前記舌部は、前記ボスを有する前記ファン要素に対向する端部対向部と、前記ボスを有する前記ファン要素以外の残りのファン要素に対向する第１対向面を有する主要部とを有し、
前記端部対向部は、前記ボスを有する前記ファン要素に対向する第２対向面を有し、前記第２対向面は、第１対向面よりも前記貫流ファン側に位置し、
前記端部対向部の前記第２対向面の前記軸方向の長さは、前記複数のファン要素のうち、前記ボスを有する前記ファン要素の前記軸方向の長さよりも長く構成され、
前記舌部は、前記端部対向部と前記主要部との間に位置する接続部を備え、
前記接続部は、前記貫流ファンに対向する第４対向面を有し、
前記第４対向面は、前記貫流ファンの径方向において、前記第１対向面と前記第２対向面との間に位置し、前記第１対向面と前記第４対向面とにより段差が形成され、前記第２対向面と前記第４対向面とにより段差が形成されている空気調和機。
【請求項７】
前記舌部は、前記貫流ファンに吸込まれる空気を吸込領域と吹出領域とに分離し、
前記第２対向面は、前記吸込領域側に位置し前記貫流ファンとの距離が最小となる第１端部と、前記吹出領域側に位置する第２端部とを有し、
前記第２対向面は、前記第１端部と前記第２端部との間が凹曲面状をなすように構成されている請求項５または請求項６に記載の空気調和機。
【請求項８】
前記舌部の前記端部対向部には、複数の切込みが形成されている請求項５から請求項７のいずれか一項に記載の空気調和機。
【発明の詳細な説明】
【技術分野】
【０００１】
本発明は、室内機に貫流ファンを備えた空気調和機に関するものである。
【背景技術】
【０００２】
従来の空気調和機では、室内機の内部に設けられた貫流ファンが回転すると、貫流ファンの内部に循環渦が発生し、空気は筐体の上部から熱交換器および貫流ファンを通過した後に、筐体外に吐出されるように構成されている（例えば、特許文献１参照）。
【先行技術文献】
【特許文献】
【０００３】
【特許文献１】特開２００９−１２７８７５号公報
【発明の概要】
【発明が解決しようとする課題】
【０００４】
ところで、貫流ファンは、その回転により貫流ファンの内部に生じる循環渦の作用で送風を行うものであるが、貫流ファンの軸方向の長さは有限であるため、貫流ファンの内部に生じる循環渦は、貫流ファンの軸方向の端部において連続性が失われる。すなわち、循環渦が軸方向の端部において途切れることになる。そのため、貫流ファンの軸方向の端部では、軸方向の中心部に比べて送風が不安定になりやすい。また、貫流ファンにおける、モータ軸と貫流ファンとを結合するためのボスが配設されている部分では、貫流ファンの内部の通風抵抗が増大するため、送風がより不安定になりやすい。
【０００５】
そして、空気調和機の使用に伴って、プレフィルタや熱交換器に塵埃が堆積した場合など、通風路の通風抵抗が大きくなる条件においては、貫流ファンの軸方向の端部における送風安定性が失われ、バサバサという音と風量の変動を伴うサージングと呼ばれる現象が発生することがある。
【０００６】
そこで、本発明は、通風抵抗が大きくなったとしても、貫流ファンの軸方向の端部における送風の安定性を失わず、サージングを防止することが可能な空気調和機を提供することを課題とする。
【課題を解決するための手段】
【０００７】
上記課題を解決すべく、本発明の一態様である空気調和機は、吹き出し部を有する筐体と、前記筐体内に設けられ、複数のファン要素を連結して構成した貫流ファンと、前記貫流ファンの軸方向に沿って設けられた舌部と、を有する室内機を備える。前記舌部は、前記貫流ファンの前記軸方向における両端部に対向する一対の端部対向部と、前記一対の端部対向部の間に位置し前記貫流ファンに対向する第１対向面を有する主要部と、を有し、各端部対向部は、前記貫流ファンの前記軸方向における各端部に対向する第２対向面を有し、前記第２対向面は、第１対向面よりも前記貫流ファン側に位置する。
【０００８】
また、本発明の一態様である空気調和機は、吹き出し部を有する筐体と、前記筐体内に設けられるモータと、前記筐体内に設けられ、前記モータにより駆動され、複数のファン要素を連結して構成した貫流ファンと、前記貫流ファンの軸方向に沿って設けられた舌部と、を有する室内機を備える。前記貫流ファンの前記軸方向の一端に位置する前記ファン要素は、その内部に前記モータの駆動力を受けるボスを有し、前記舌部は、前記ボスを有する前記ファン要素に対向する端部対向部と、前記ボスを有する前記ファン要素以外の残りのファン要素に対向する第１対向面を有する主要部とを有し、前記端部対向部は、前記ボスを有する前記ファン要素に対向する第２対向面を有し、前記第２対向面は、第１対向面よりも前記貫流ファン側に位置する。
【発明の効果】
【０００９】
本発明によれば、通風抵抗が大きくなったとしても、貫流ファンの軸方向の端部における送風の安定性を失わず、サージングを防止することが可能な空気調和機を提供することができる。
【図面の簡単な説明】
【００１０】
【図１】本発明の空気調和機の冷凍サイクルの構成図を示す。
【図２】本発明の第１の実施形態の空気調和機の室内機を、貫流ファンの軸方向長さの略中心位置における貫流ファンの軸に垂直な面で切断した断面図を示す。
【図３】本発明の第１の実施形態における貫流ファンと舌部との距離の関係を模式的に示した図である。
【図４】図３のＩＶ−ＩＶ線に沿った断面図を示す。
【図５】図３のＶ−Ｖ線に沿った断面図を示を示す。
【図６】図５のＤ方向から舌部の接続部付近を見た図を示す。
【図７】図６のＶＩＩ−ＶＩＩ線に沿った断面図を示す。
【図８】本実施形態の空気調和機と、従来の空気調和機との最大静圧比およびファン動力比の比較を示す図である。
【図９】本発明の第２の実施形態に係る空気調和機の舌部の接続部付近を示す図である。
【図１０】本発明の第３の実施形態に係る空気調和機の舌部の接続部付近を示す図である。
【図１１】本発明の第４の実施形態における貫流ファンと舌部との距離の関係を模式的に示した図である。
【図１２】図１１のＸＩＩ−ＸＩＩ線に沿った断面図を示す。
【発明を実施するための形態】
【００１１】
以下、本発明の空気調和機の第１の実施形態について図を参照して説明する。図１は、本発明の空気調和機の冷凍サイクルの構成図である。
【００１２】
本実施形態に係る空気調和機１は、室外機２と室内機１０を備え、それらが接続配管９で接続されることにより冷凍サイクルが構成される。
【００１３】
室外機２は、圧縮機３と、四方弁４と、室外熱交換器５と、プロペラファン６と、室外ファンモータ７と、絞り装置８とを備えている。室内機１０は、室内熱交換器１１と、貫流ファン１２と、室内ファンモータ１３とを備えている。
【００１４】
次に、冷房運転をする場合を例に、室外機２および室内機１０の各要素の作用を説明する。冷房運転の場合、圧縮機３で圧縮された高圧のガス状冷媒は、室外熱交換器５で、室外ファンモータ７により駆動されたプロペラファン６により供給される外気に放熱することで凝縮し、高圧の液状冷媒となる。液冷媒は絞り装置８の作用で減圧され、低温低圧の気液二相状態となり、接続配管９を通じて室内機１０へ流れる。室内機１０に入った冷媒は、室内熱交換器１１で、室内ファンモータ１３により駆動された貫流ファン１２により吸込まれる室内空気の熱を吸熱することで蒸発する。室内機１０で蒸発した冷媒は、接続配管９を通じて、室外機２へ戻り、四方弁４を通って再び圧縮機３で圧縮されることになる。
【００１５】
一方、暖房運転の場合は、四方弁４により、冷媒流路が切り替えられ、圧縮機３で圧縮された高圧のガス状冷媒は、四方弁４および接続配管９を通って室内機１０に流れる。室内機１０に入った冷媒は、室内熱交換器１１で、室内ファンモータ１３により駆動された貫流ファン１２により吸込まれる室内空気に放熱することで凝縮し、高圧の液状冷媒となる。高圧の液状冷媒は、接続配管９を通って室外機２に流れる。室外機２に入った高圧の液状冷媒は、絞り装置８の作用で減圧され、低温低圧の気液二相状態となり、室外熱交換器５に流れ、室外空気の熱を吸熱することで蒸発し、ガス状冷媒となる。室外熱交換器５でガス状となった冷媒は、四方弁４を通って再び圧縮機３で圧縮される。
【００１６】
次に、室内機１０の構成について詳細に説明する。図２は、本実施形態の空気調和機１の室内機１０を、貫流ファン１２の軸方向長さの略中心位置における貫流ファン１２の軸に垂直な面で切断した断面図を示している。
【００１７】
室内機１０は、前側筐体１４と後側筐体１５と上部筐体１６で構成された筐体を有し、その内部には、室内熱交換器１１と貫流ファン１２とが収容されている。本実施形態における室内熱交換器１１は、複数のアルミ製のフィンを伝熱管が貫く、いわゆるクロスフィンチューブ型のものであり、貫流ファン１２の上側に設けられている。
【００１８】
室内熱交換１１に対し、貫流ファン１２による空気の流れの上流側であって、前側筐体１４と上部筐体１６との間、および、上部筐体１６と後側筐体１５との間には、プレフィルタ１７が設置されている。プレフィルタ１７は、筐体に設けられた枠１８に支持されている。プレフィルタ１７により、室内機１０の筐体内に塵埃が入り込むのが防止される。上部筐体１６と後側筐体１５との間は、空気吸込部２２Ａとして機能する。前側筐体１４と上部筐体１６との間に位置するプレフィルタ１７の前側には、前面パネル１９が前側筐体１４に対し回動可能に設けられている。前面パネル１９が開状態にあるときには、前側筐体１４と上部筐体１６との間は、空気吸込部２２Ｂとして機能する。
【００１９】
貫流ファン１２の下側であって、前側筐体１４と後側筐体１５との間には、吹き出し部２０が形成され、吹き出し部２０には、上下風向制御板２１が回動可能に設けられている。
【００２０】
前側筐体１４は、その後端部に貫流ファン１２に対向するように設けられ、貫流ファン１２の軸方向に沿って延び樹脂からなるフロントノーズ部３０を有する。フロントノーズ部３０は、吹き出し部２０の一部を構成する風路構成部３１と、貫流ファン１２に対向する舌部３２とから構成されている。舌部３２は、吹き出し部２０の近傍に位置する。
【００２１】
上記の室内機１０において、室内ファンモータ１３により貫流ファン１２が回転すると、貫流ファン１２の舌部３２に対向する箇所に循環渦Ｃが発生し、室内空気が、空気吸込部２２Ａ、２２Ｂを介して筐体内に吸込まれ、図２の空気流Ｆに示すように、プレフィルタ１７、室内熱交換器１１、および貫流ファン１２とを通過した後、空気吐出部２０から筐体外（室内）に吐出される。舌部３２により、空気流Ｆが、吸込領域Ａ１と吹出領域Ａ２に分離される。また、舌部３２は、空気流Ｆが下流側（吹出領域Ａ２）から上流側（吸込領域Ａ１）へ逆流するのを防止する。
【００２２】
次に、貫流ファン１２および舌部３２の構成について、図３〜図７を参照して詳細に説明する。
【００２３】
図３は、貫流ファン１２と舌部３２との距離の関係を模式的に示した図であり、図４は、図３のＩＶ−ＩＶ線に沿った断面図を示し、図５は、図３のＶ−Ｖ線に沿った断面図を示し、図６は、図５のＤ方向から舌部の接続部付近を見た図であり、図７は、図６のＶＩＩ−ＶＩＩ線に沿った断面図を示す。図４、５、７においては、貫流ファン１２を一部のみ図示している。
【００２４】
図３に示すように、貫流ファン１２は、ファン要素１２Ａと、ファン要素１２Ｂと、ボス１２Ｃと、端板１２Ｄと、軸部１２Ｅとを有する。本実施形態において、ファン要素１２Ａは、８個（図３では一部の図示を省略している）であり、ファン要素１２Ｂと合わせて、貫流ファン１２は９個のファン要素１２Ａ、１２Ｂにより構成されている。複数のファン要素１２Ａ、１２Ｂは、互いに連結され円筒状に一体に構成されている。ボス１２Ｃは、貫流ファン１２の端部に位置するファン要素１２Ｂに設けられ、ボス１２Ｃに対し、室内ファンモータ１３の出力軸１３Ａが挿入され、止めねじ１３Ｂで締結されている。室内ファンモータ１３の回転駆動力をボス１２Ｃで受けて、貫流ファン１２は回転する。また、端板１２Ｄは、ファン要素１２Ｂに対して反対側の端部に位置するファン要素１２Ａに取り付けられている。軸部１２Ｅは、端板１２Ｄに設けられ、筐体により回転可能に支持されている。
【００２５】
舌部３２は、長尺の略平板状をなし、一対の端部対向部３３と、第１対向面３４Ａを有する主要部３４と、一対の接続部３５とを有する。各端部対向部３３は、貫流ファン１２の軸方向Ｘにおける端部に対向している。本実施形態では、各端部対向部３３は、貫流ファン１２の軸方向Ｘにおける端部に位置するファン要素１２Ａ、１２Ｂに対向している。各端部対向部３３は、貫流ファン１２に対向する第２対向面３３Ａを有している。また、本実施形態では、各端部対向部３３（第２対向面３３Ａ）の軸方向Ｘにおける長さＮＲ、ＮＬと、対応するファン要素１２Ａ、１２Ｂの長さＫＲ、ＫＬとの関係は、ＮＬ／ＫＬ＝１．２、ＮＲ／ＫＲ＝１．２となっている。すなわち、各端部対向部３３（第２対向面３３Ａ）の軸方向Ｘにおける長さＮＲ、ＮＬは、対応するファン要素１２Ａ、１２Ｂの長さＫＲ、ＫＬよりも長く構成されている。また、一対の端部対向部３３は、主要部３４よりも貫流ファン１２側へ突出している。
【００２６】
主要部３４は、一対の端部対向部３３の間に位置し、図４に示すように、貫流ファン１２に対向する第１対向面３４Ａを有する。第１対向面３４Ａは、その吸込領域Ａ１側の端部から吹出領域Ａ２側の端部にかけて、軸流ファン１２から離間するように構成されている。
【００２７】
図５に示すように、端部対向部３３の第２対向面３３Ａは、吸込領域Ａ１側に位置する第１端部３３Ｂと、吹出領域Ａ２側に位置する第２端部３３Ｃとを有し、第１端部３３Ｂと第２端部３３Ｃとの間は、凹曲面状をなすように構成されている。第２対向面３３Ａは、第１対向面３４Ａよりも貫流ファン１２側に位置するように構成されている。すなわち、第２対向面３３Ａと貫流ファン１２との平均距離は、第１対向面３４Ａと貫流ファン１２との平均距離より短い。
【００２８】
貫流ファン１２は、第２対向面３３Ａとの距離が小さくなるほどより大きな音が発生する。本実施形態では、第２対向面３３Ａのうち第１端部３３Ｂと貫流ファン１２との距離が最小となるようにしている。音は風上側に伝わりにくく、風下側に伝わりやすい性質がある為、第２対向面３３Ａのうち吹き出し部２０（風下側）から最も遠い第１端部３３Ｂと貫流ファン１２との距離を最小とすることで、室内機１０内で発生した音を被空調空間へ伝えづらくすることができる。なお、本実施形態では、第１端部３３Ｂから第２端部３３Ｃにかけて、第２対向面３３Ａと貫流ファン１２との距離はほぼ均一に構成されている。
【００２９】
図３に示すように、一対の接続部３５は、一対の端部対向部３３と主要部３４とを接続している。すなわち、各接続部３５は、各端部対向部３３と主要部３４との間に位置している。図６に示すように、接続部３５は、貫流ファン１２に対向する第３対向面３５Ａを有している。第３対向面３５Ａは、第１対向面３４Ａから第２対向面３３Ａに向かうにつれて貫流ファン１２に近づいて滑らかに形状が変化するように（曲面状に）構成されている。また、接続部３５における舌部３２の断面は、図７に示すような形状となる。
【００３０】
以上のように、本実施形態の空気調和機１によれば、舌部３２の各端部対向部３３の第２対向面３３Ａは、主要部３４の第１対向面３４Ａよりも貫流ファン１２側に位置するように構成されている。
【００３１】
かかる構成によれば、舌部３２の各端部対向部３３により、貫流ファン１２の両端部において、空気流Ｆの下流側から上流側へ空気が逆流するのを抑制することができる。この結果、循環渦Ｃが不安定となりやすい貫流ファン１２の両端部において、循環渦Ｃを安定させることができ、ひいては貫流ファン１２の軸方向Ｘにおいて連続した循環渦Ｃを維持することができる。従って、プレフィルタ１７および熱交換器１１に塵埃が堆積して、通風抵抗が大きくなったとしても、貫流ファン１２の両端部における送風の安定性は失われず、サージングを防止することができる。
【００３２】
また、舌部３２の各端部対向部３３では、貫流ファン１２との距離が近くなり、舌部３２の貫流ファン１２に対する干渉が大きくなることにより、騒音およびファン動力の増大する。しかし、貫流ファン１２との距離が近くなる部分を舌部３２の各端部対向部３３に限定しているため、騒音およびファン動力の増大を抑えることができる。
【００３３】
図８は、本実施形態の空気調和機と、従来の空気調和機との最大静圧比およびファン動力比の比較を示す図である。ここで、従来の空気調和機とは、本実施形態のような舌部３２に一対の端部対向部３３を有さない空気調和機であり、すなわち、舌部と貫流ファンとの距離が、貫流ファンの軸方向Ｘ全体で一定である空気調和機をいう。また、貫流ファンの回転数は、風量が同一となるようにそれぞれを調整している。また、従来の空気調和機における最大静圧およびファン動力を、１００％とした場合の、本実施形態の空気調和機の最大静圧およびファン動力の比率を示している。
【００３４】
図８に示すように、従来の空気調和機と比較して、本実施形態の空気調和機１は、貫流ファン１２のファン動力が僅かに増加したものの、貫流ファン１２が発生しうる最大静圧は大幅に増加させることができることが確認できた。
【００３５】
また、舌部３２の各端部対向部３３の第２対向面３３Ａは、第１端部３３Ｂと第２端部３３Ｃとの間が凹曲面状をなすように構成されている。
【００３６】
かかる構成によれば、各端部対向部３３の第２対向面３３Ａに、角部等がない構成となるため、循環渦Ｃが乱れることなく、送風を安定させることができる。
【００３７】
また、接続部３５の第３対向面３５Ａは、第２対向面３３Ａと第１対向面３４Ａとに接続され、第２対向面３３Ａから第１対向面３４Ａに向かうにつれて貫流ファン１２に近づいて滑らかに形状が変化するように構成されている。
【００３８】
かかる構成によれば、各第３対向面３５Ａにより、第１対向面３４Ａから各第２対向面３３Ａへかけて滑らかに形状が変化するので、舌部３２の貫流ファン１２に対する干渉度合を徐々に変化させることができる。これにより、貫流ファン１２の各接続部３５に対向する付近における循環渦Ｃを安定させることができ、送風を安定させることができる。
【００３９】
また、各端部対向部３３の第２対向面３３Ａの軸方向Ｘの長さＮＲ、ＮＬは、複数のファン要素１２Ａ、１２Ｂのうち、軸方向Ｘの両端部に位置するファン要素１２Ａ，１２Ｂの軸方向Ｘの長さＫＲ、ＫＬよりも長く構成されている。
【００４０】
かかる構成によれば、循環渦Ｃが不安定となりやすい貫流ファン１２の両端部において、確実に循環渦Ｃを安定させることができ、ひいては貫流ファン１２の軸方向Ｘにおいて連続した循環渦Ｃを維持することができる。
【００４１】
次に、本発明の第２の実施形態に係る空気調和機について説明する。なお、第１の実施形態と同一の部材については同一の参照番号を付して説明を省略し、異なる部分についてのみ説明を行う。
【００４２】
図９は、本実施形態に係る空気調和機の舌部１３２の接続部付近を示す図であり、第１の実施形態の図６に対応する図面である。図９に示すように、本実施形態の舌部１３２の接続部１３５は、貫流ファン１２に対向する第４対向面１３５Ａを有している。第４対向面１３５Ａは、貫流ファン１２の径方向Ｙにおいて、第１対向面３４Ａと第２対向面３３Ａとの間に位置する。そして、第１対向面３４Ａと第４対向面１３５Ａとにより段差が形成され、第２対向面３３Ａと第４対向面１３５Ａとにより段差が形成されている。なお、図９のＶＩＩ−ＶＩＩ線に沿った断面図は、図７に示した断面図と同様である。また、図９では、軸方向Ｘにおける一方の端部対向部３４および接続部１３５について示したが、他方側についても同様の構成である。
【００４３】
かかる構成によれば、第１の実施形態の舌部３２と比較して、安価に舌部１３２を形成することができる。なお、本実施形態の空気調和機においても、第１の実施形態の空気調和機１と同様の効果を奏する。
【００４４】
次に、本発明の第３の実施形態に係る空気調和機について説明する。なお、第１の実施形態と同一の部材については同一の参照番号を付して説明を省略し、異なる部分についてのみ説明を行う。
【００４５】
図１０は、本実施形態に係る空気調和機の舌部２３２の接続部付近を示す図であり、第１の実施形態の図６に対応する図面である。図１０に示すように、舌部２３２の端部対向部２２３３および接続部２３５には、複数の切込み２３６が形成され、櫛歯状となっている。各切込み２３６は、貫流ファン１２の径方向Ｙに沿って延びている。すわなち、各切込み２３６は、径方向Ｙに平行な面により形成される。なお、部材成型上の都合で抜き勾配が必要となる場合には、この面を、貫流ファン１２の径方向Ｙから±３゜程度の範囲内で傾斜させても良い。この櫛歯の肉厚および隙間の厚さは、１〜２ｍｍ程度とするのが良い。
【００４６】
また、端部対向部２３３の第２対向面２３３Ａは、主要部３４の第１対向面３４Ａよりも貫流ファン１２側に位置している。接続部２３５の第３対向面２３５Ａは、第２対向面２３３Ａと第１対向面３４Ａとに接続され、第１対向面３４Ａから第２対向面２３３Ａに向かうにつれて貫流ファン１２に近づいて滑らかに形状が変化するように構成されている。なお、図１０のＶ−Ｖ線に沿った断面図は、図５に示した断面図と同様である。また、図１０では、軸方向Ｘにおける一方の端部対向部２３３および接続部２３５について示したが、他方側についても同様の構成である。
【００４７】
かかる構成によれば、第１の実施形態の舌部３２と比較して、同一部材内に局所的な肉厚部がない構造となり、樹脂により部材を射出成型した場合に、成型後のヒケや変形を起こりにくくすることができる。これにより、舌部２３２を含む前側筐体１４の生産性を高めることができる。なお、本実施形態の空気調和機においても、第１の実施形態の空気調和機１と同様の効果を奏する。
【００４８】
次に、本発明の第４の実施形態に係る空気調和機について説明する。なお、第１の実施形態と同一の部材については同一の参照番号を付して説明を省略し、異なる部分についてのみ説明を行う。
【００４９】
図１１は、本実施形態における貫流ファン１２と舌部３３２との距離の関係を模式的に示した図であり、第１の実施形態における図３に相当する図である。
【００５０】
図１１に示すように、本実施形態では、舌部３３２において、室内ファンモータ１３の駆動力を受けるボス１２Ｃを内部に有するファン要素１２Ｂに対向する側にのみ、端部対向部３３が設けられている。主要部３３４は、ファン要素１２Ｂ以外のファン要素１２Ａに対向する第１対向面３３４Ａを有し、端部対向部３３の第２対向面３３Ａは、第１対向面３３４Ａよりも貫流ファン１２側に位置する。なお、図１１のＶ−Ｖ線に沿った断面図は、図５に示した断面図と同様であり、図１１のＸＩＩ−ＸＩＩ線に沿った断面図は、図１２に示したようになる。
【００５１】
また、本実施形態では、端部対向部３３（第２対向面３３Ａ）の軸方向Ｘにおける長さＮＲと、ファン要素１２Ｂの長さＫＲとの関係は、ＮＲ／ＫＲ＝１．２となっている。すなわち、端部対向部３３（第２対向面３３Ａ）の軸方向Ｘにおける長さＮＲは、ファン要素１２Ｂの長さＫＲよりも長く構成されている。
【００５２】
ボス１２Ｃを内部に有するファン要素１２Ｂは、残りのファン要素１２Ａに比べて、内部の通風抵抗が大きいため、空気流Ｆの下流側から上流側へ空気が逆流が起こり易い。その結果、循環渦Ｃが不安定となり送風が不安定になり易い。しかし、本実施形態では、舌部３３２の端部対向部３３の第２対向面３３Ａは、主要部３３４の第１対向面３３４Ａよりも貫流ファン１２側に位置するように構成せている。
【００５３】
かかる構成により、貫流ファン１２のファン要素１２Ｂにおいて、空気流Ｆの下流側から上流側へ空気が逆流するのを抑制することができる。この結果、循環渦Ｃが不安定となりやすい貫流ファン１２のファン要素１２Ｂにおいて、循環渦Ｃを安定させることができ、送風を安定させることができる。また、最も空気流Ｆが不安定になりやすい貫流ファン１２のファン要素１２Ｂに限定して、舌部３３２に対し端部対向部３３を設けているため、コスト増を最小限にしつつ、送風信頼性の確保を図ることができる。さらに、騒音およびファン動力の増大を最小限に抑えることができる。また、本実施形態の空気調和機においても、第１の実施形態の空気調和機１と同様の効果を奏する。
【００５４】
なお、本発明は、上述した実施例に限定されない。当業者であれば、本発明の範囲内で、種々の追加や変更等を行うことができる。
【００５５】
例えば、端部対向部３３の形状は、凹曲面状をなすように構成されていたが、凹部状をなすように複数の平面により構成されていても良い。また、第１端部３３Ｂから第２端部３３Ｃにかけて、第２対向面３３Ａと貫流ファン１２との距離はほぼ均一に構成されていたが、第２端部３３Ｃの方が、第１端部３３Ｂよりも貫流ファン１２から離間するように構成されていても良い。
【００５６】
また、第２の実施形態の舌部１３２の接続部１３５により、主要部３４と端部対向部３３とを２段階で接続したが、段階の数を増加させても良い。また、第４の実施形態の舌部３３４の接続部３５を、第２の実施形態の舌部１３２の接続部１３５のようにしても良い。また、舌部３３４の端部対向部３３および接続部３５を、第３の実施形態の舌部２３２の櫛歯状の端部対向部２３３および接続部２３５により構成しても良い。
【符号の説明】
【００５７】
１：空気調和機、１０：室内機、１２：貫流ファン、１２Ａ、１２Ｂ：ファン要素、１２Ｃ：ボス、１３：モータ、１４：前側筐体１５：後側筐体１６：上部筐体、３２、１３２、２３２、３３２：舌部、３３、２３３：端部対向部、３３Ａ、２３３Ａ：第２対向面、３４、３３４：主要部、３４Ａ、３３４Ａ：第１対向面、３５、１３５、２３５：接続部、３５Ａ、１３５Ａ、２３５Ａ：第３対向面、２３６：切込み
【図１】
0006472625.tif 000002
【図２】
0006472625.tif 000003
【図３】
0006472625.tif 000004
【図４】
0006472625.tif 000005
【図５】
0006472625.tif 000006
【図６】
0006472625.tif 000007
【図７】
0006472625.tif 000008
【図８】
0006472625.tif 000009
【図９】
0006472625.tif 000010
【図１０】
0006472625.tif 000011
【図１１】
0006472625.tif 000012
【図１２】
0006472625.tif 000013